(57)【特許請求の範囲】
【請求項１】
方形枠体と該方形枠体に四辺が支持された網とからなり、上記方形枠体は四つの枠材と四つの継手からなり、枠材は相対する二組の枠材同士が同長となされ、一組の枠材にはほぼ中央に該枠材を二つ折りに折り畳み可能なジョイントが設けられ、該ジョイントを介して方形枠体がコの字形に二つ折りに折り畳まれ、次いで四つの継手を介してジョイントを有する枠材が突き合わせ状にジョイントを有さない枠材に沿って折り畳まれてなる毛糸干し具。
【請求項２】
方形枠体を水平に載置したとき、ジョイントの回動軸が水平方向を向き、四つの継手の回動軸が垂直方向を向くようになされた請求項１記載の毛糸干し具。
【請求項３】
ジョイントを有さない一組の枠材が大径管と小径管との嵌め合いによる伸縮管となされた請求項１または請求項２記載の毛糸干し具。
【請求項４】
四つの継手にそれぞれ折り畳み自在となされた脚体が突設された請求項１ないし請求項３記載の毛糸干し具。
【請求項５】
四つの継手から上方に吊り下げ用紐状体が延設され、四つの吊り下げ用紐状体がそれぞれ吊り下げ具に接続されてなる請求項１ないし請求項４記載の毛糸干し具。
【発明の詳細な説明】
【０００１】
【発明の属する技術分野】
本発明は、不要な時には折り畳んで嵩を小さくできる毛糸干し具に関する。
【０００２】
【従来の技術】
従来、網が張設された方形枠体からなり、一方の対角線方向の継手が垂直方向に回動し、他方の対角線方向の継手が水平方向に回動するようになされた陰干し器が特開平８−１５５１９１号公報に開示されている。
【０００３】
【発明が解決しようとする課題】
しかしながら特開平８−１５５１９１号公報の陰干し器の場合、一方の対角線方向の継手が垂直方向に回動し、他方の対角線方向の継手が水平方向に回動するようになされているため、正方形のものしかできないとともに、いずれの対角線方向の継手が先に折り畳めるのか、一見しただけでは判別しがたく、操作性に劣るという欠点がある。
【０００４】
本発明はかかる従来の問題点を解消し、折り畳み方がわかりやすく、折り畳み操作を円滑に行える毛糸干し具を提供することを目的としている。
【０００５】
【課題を解決するための手段】
上記課題を解決するため、本発明毛糸干し具は方形枠体と該方形枠体に四辺が支持された網とからなり、上記方形枠体は四つの枠材と四つの継手からなり、枠材は相対する二組の枠材同士が同長となされ、一組の枠材にはほぼ中央に該枠材を二つ折りに折り畳み可能なジョイントが設けられ、該ジョイントを介して方形枠体がコの字形に二つ折りに折り畳まれ、次いで四つの継手を介してジョイントを有する枠材が突き合わせ状にジョイントを有さない枠材に沿って折り畳まれてなるものである。
【０００６】
また、好ましくは本発明物干し具は方形枠体を水平に載置したとき、ジョイントの回動軸が水平方向を向き、四つの継手の回動軸が垂直方向を向くようになされたものである。
【０００７】
さらに、好ましくは本発明物干し具はジョイントを有さない一組の枠材が大径管と小径管との嵌め合いによる伸縮管となされたものである。
【０００８】
さらにまた、好ましくは本発明物干し具は四つの継手にそれぞれ折り畳み自在となされた脚体が突設されたものである。
【０００９】
さらにまた、好ましくは本発明物干し具は四つの継手から上方に吊り下げ用紐状体が延設され、四つの吊り下げ用紐状体が吊り下げ具に接続されてなるものである。
【００１０】
【発明の実施の形態】
以下、図面を参照しながら本発明の実施形態について説明する。
図１において１は方形枠体、２は網である。
【００１１】
方形枠体１は四つの枠材３と四つの継手４とからなり、四つの枠材３は網２の四辺に形成された挿通部に挿通されたのち、四つの継手４により方形に組み立てられる。四つの枠材３は相対する二組の枠材同士が同長となされ、そのうち一組の枠材３はほぼ中央に該枠材３を二つ折りに折り畳み可能なジョイント５が設けられており、該ジョイント５を介して方形枠体１がコの字形に二つ折りに折り畳まれるようになされている。
【００１２】
ジョイント５の形状としては二つ折り用の枠材３の端部がそれぞれ嵌挿される嵌挿部５２の先端に回動部５３が形成された二個のジョイント片５１，５１が水平方向のピン５４により図１（イ）の矢印ａの方向に折り畳み可能となされている。
【００１３】
また他の組の枠材３は一本の棒状であってもよいが、図１（イ）のごとく、大径管３１と小径管３２との嵌め合いにより伸縮自在となされておれば、本発明毛糸干し具の使用中に網２に弛みが生じても嵌め合い部分を伸ばすことにより、網２の弛みが解消され好ましい。
なお、枠材３は合成樹脂、金属、合成樹脂被覆金属等から作製され、ジョイント５は合成樹脂、金属等から作製されている。
【００１４】
継手４は四つの枠材３を方形に組み立てるものであり、直角二方向に枠材３の端部が接続される筒状、溝状等の接合部４２、４２が形成されている。また、該継手４は二つの接合部４２、４２ごとに二個の継手片４１、４１’に分割され、かつ水平方向に回動可能に組み立てられており、図１（ロ）のごとく、ジョイント５を有する二つ折り側の枠材３をジョイント５を有さない枠材３に沿うよう、矢印ｃの方向に折り畳み、図１（ハ）のようにできる。
【００１５】
さらに、継手４にはそれぞれ脚４３が設けられている。該脚４３は継手４と一体に形成されたり、あるいは継手４に形成された突起や窪みを介して着脱自在となされていてもよいが、脚４３を枠材３に沿わせることのできる樋状とし、継手４に一体に成形されたボス４４により図１（イ）の矢印ｂの方向に折り畳み可能となされていると、収納時に嵩が低くなるとともに紛失の恐れもなく好ましい。また脚４３の下端は、本発明毛糸干し具を複数個積み重ねて使用できるよう、方形枠体１よりはみ出さないようになされているのがよい。なお、脚４３も合成樹脂、金属等から作製されている。またボス４４にかえてピン、ビス等を使用してもよい。
【００１６】
網２はほぼ方形枠体１と同形の方形状となされ、網２の四辺には枠材３が挿通される袋状部２１が形成されている。また袋状部２１のかわりに結束用の紐、取り付け用フック等であってもよい。該網２は合成繊維、モノフィラメント等吸水性のない素材で作製されているのがよい。
【００１７】
６は吊り下げ具であって、該吊り下げ具６は方形枠体１を物干し竿等に引っ掛けて使用するものであり、フック状、クリップ状、リング状等となされ、合成樹脂、金属等から作製されている。該吊り下げ具６の下方より方形枠体１の継手４に向かって吊り下げ用紐状体６１が延設され、該吊り下げ用紐状体６１の下端部は継手４に形成された留め部４５に着脱自在に係止されている。吊り下げ用紐状体６１としては繊維や合成樹脂のロープ、金属や合成樹脂の鎖等屈曲性のある材料で作製されている。
【００１８】
【発明の効果】
以上詳述したごとく本発明毛糸干し具は、方形枠体と該方形枠体に四辺が支持された網とからなり、上記方形枠体は四つの枠材と四つの継手からなり、枠材は相対する二組の枠材同士が同長となされ、一組の枠材にはほぼ中央に該枠材を二つ折りに折り畳み可能なジョイントが設けられ、該ジョイントを介して方形枠体がコの字形に二つ折りに折り畳まれ、次いで四つの継手を介してジョイントを有する枠材が突き合わせ状にジョイントを有さない枠材に沿って折り畳まれるようになされているので、まず方形枠体をジョイントの部分で二つに折り畳んだのち、ジョイントを有する枠材を突き合わせ状にジョイントを有さない枠材に沿って折り畳むことにより、折り畳みの方向が分かりやすく折り畳み操作がきわめて円滑におこなえ、かつ方形枠体が長方形状であってもよい。
【００１９】
また、本発明毛糸干し具は方形枠体を水平に載置したとき、ジョイントの回動軸が水平方向を向き、四つの継手の回動軸が垂直方向を向くようになされたものであるから、網ごと方形枠体をきっちりと折り畳むことができるとともに、ジョイントの部分で二つに折り畳まれた方形枠体の四つの継手の回動軸が同方向を向き、ジョイントを有する枠材をジョイントを有さない枠材に沿って左右同時に折り畳むことができ、操作性がよい。
【００２０】
さらに、本発明毛糸干し具はジョイントを有さない一組の枠材が大径管と小径管との嵌め合いによる伸縮管となされたものであるから、使用中に網に弛みが生じても大径管と小径管との嵌め合い部分を伸ばすことにより、網の弛みが解消され好ましい。
【００２１】
さらにまた、本発明毛糸干し具は四つの継手にそれぞれ折り畳み自在となされた脚が突設され場合は、収納時に該脚を折り畳むことにより、嵩が低くなるとともに紛失の恐れもなく好ましい。
【００２２】
さらにまた、本発明毛糸干し具は四つの継手から上方に吊り下げ用紐状体が延設され、四つの吊り下げ用紐状体が吊り下げ具に接続されていると、方形枠体を物干し竿等に引っ掛けて使用することができ都合がよい。
【図面の簡単な説明】
【図１】本発明毛糸干し具の一実施例の斜視図である。
【図２】本発明毛糸干し具の方形枠体の一例の部分分解斜視図である。
【符号の説明】
１          方形枠体
２          網
２１          袋状部
３          枠材
３１          大径管
３２          小径管
４          継手
４１          継手片
４１’        継手片
４２          接合部
４３          脚
４４          ボス
４５          留め部
５          ジョイント
５１          ジョイント片
５２          ピンチ
５３          回動部
５４          ピン
６          吊り下げ具
６１          紐状体
【図１】
0003557449.tif 000002
【図２】
0003557449.tif 000003